(57)【特許請求の範囲】
【請求項１】
遠隔通信ネットワークの交換ラインへの接続手段と、
複数の関係付けられたハンドセットの１つとのワイヤレス通信を選択的に設定して、個々のハンドセットと遠隔通信ネットワークとの遠隔通信を可能にする手段と、
を含むコードレス電話システムの基地局であり、
各ハンドセットは、被呼電話番号に対応するダイヤルしたディジットを送ることによって交換ラインにおいて発呼を開始し、
前記基地局が、
ハンドセットから送信される確認コードを識別する識別手段と、
受信した確認コードに応答して、前記確認コードより短い、ハンドセットを確認するダイヤルしたディジットシーケンスを生成するディジット生成手段と、
発呼設定時に遠隔通信ネットワークへ前記ハンドセットを確認するダイヤルしたディジットシーケンスを送る手段と、
を含む基地局。
【請求項２】
接続手段の１つに接続されたハンドセットのオフフック状態を認識する手段と、
この状態に応答して前記ハンドセットを確認するダイヤルしたディジットシーケンスを遠隔通信ネットワークへ送る手段と、
を含む請求項１記載の基地局。
【請求項３】
電話番号に対応するダイヤルしたディジットシーケンスのハンドセットによる送信の完了を認識する手段と、
この完了に応答して前記ハンドセットを確認するダイヤルしたディジットシーケンスを遠隔通信ネットワークへ送る手段と、
を含む請求項２記載の基地局。
【請求項４】
コードレス電話システムの単一の基地局へのワイヤレス接続を介して、交換接続へ選択的に接続できる複数のハンドセットを含む電話システムの動作方法であり、
ハンドセットの１つが発呼試行を確立するとき、ハンドセットは確認コードを送って、基地局が複数のハンドセットの中のどれが発呼試行を行っているかを識別できるようにし、
前記確認コードに応答して、前記基地局は、このようにして確認されたハンドセットを示す、前記確認コードよりも短い、ハンドセットを確認するダイヤルしたディジットシーケンスを生成して交換接続へ送り、
電話システムが前記ハンドセットを確認するダイアルしたディジットシーケンスに応答して発呼試行を制御する
電話システムの動作方法。
【請求項５】
前記基地局は、接続手段の１つに接続したハンドセットのオフフック状態を認識すると、この状態に応答して、対応するハンドセットを確認するダイアルしたディジットシーケンスを前記遠隔通信ネットワークに送る請求項４記載の方法。
【請求項６】
前記基地局は、電話番号に対応するダイヤルしたディジットのハンドセットによる送信の完了を認識すると、この完了に応答して対応するハンドセットを確認するダイアルしたディジットシーケンスを送る請求項５記載の方法。
【発明の詳細な説明】
【０００１】
本発明は電話装置、とくに、例えば１世帯で何人かの人が単一の電話交換ラインを共有して使用する状況で使用する電話装置に関する。何人かの人が同一電話交換ラインを使用するとき、何れのユーザが各呼を行ったかを識別して、例えば呼課金を各ユーザに公平に分配できるようにすることが必要である。
【０００２】
幾つかの通信サービスオペレータが提案したシステムでは、接続を承認するのに、必要な電話番号をダイヤルする前か後かに付加的にダイヤルするディジット（digit）シーケンスとして特定のコード（“口座コード”）を入力しなければならない。異なるユーザは異なる口座コードを割当てられている。この構成はとくに、幾人かの異なるユーザが同一の交換ラインにアクセスして、結果の請求書のコストを配分したいときに使用する。さらに、正しい口座コードを送ったときに、ある呼カテゴリのみを許可するように交換をプログラムすることができるので、この構成を使用して、あるユーザからある呼のクラス（例えば、特別料金サービスまたは国際電話）を妨げることもできる。このシステムでは明らかに、ユーザは各他の口座コードへダイヤリングを自由に悪用でき、さらに各ユーザがユーザ自身の口座コードを記憶し、その秘密を守ることが必要である。
【０００３】
発明が解決しようとする課題
本発明の第１の態様にしたがって、
遠隔通信ネットワークの交換ラインへの接続手段と、
複数の関係付けられたハンドセットの１つとのワイヤレス通信を選択的に設定して、個々のハンドセットと遠隔通信ネットワークとの遠隔通信を可能にする手段と、
を含むコードレス電話システムの基地局であり、
各ハンドセットは、被呼電話番号に対応するダイヤルしたディジットを送ることによって交換ラインにおいて発呼を開始し、
前記基地局が、
ハンドセットから送信される確認コードを識別する識別手段と、
受信した確認コードに応答して、前記確認コードより短い、ハンドセットを確認するダイヤルしたディジットシーケンスを生成するディジット生成手段と、
発呼設定時に遠隔通信ネットワークへ前記ハンドセットを確認するダイヤルしたディジットシーケンスを送る手段と、
を含む基地局
を提供する。
【０００４】
本発明の第２の態様にしたがって、
コードレス電話システムの単一の基地局へのワイヤレス接続を介して、交換接続へ選択的に接続できる複数のハンドセットを含む電話システムの動作方法であり、
ハンドセットの１つが発呼試行を確立するとき、ハンドセットは確認コードを送って、基地局が複数のハンドセットの中のどれが発呼試行を行っているかを識別できるようにし、
前記確認コードに応答して、前記基地局は、このようにして確認されたハンドセットを示す、前記確認コードよりも短い、ハンドセットを確認するダイヤルしたディジットシーケンスを生成して交換接続へ送り、
電話システムが前記ハンドセットを確認するディジットシーケンスに応答して発呼試行を制御する
電話システムの動作方法
を提供する。
【０００５】
ディジットのシーケンスは、ユーザがキーパッドを操作することによって実際に生成したのと同じフォーマットであり、一般的にはＤＴＭＦ音調整装置（toner）のシーケンスである。付加的なディジットはハンドセットの識別に応答して基地局それ自身によって自動的に生成されるので、呼を行ったハンドセットが識別されているので上述の悪用を防ぐことができる。本発明は、基地局と固定（配線した）リンク、すなわちハンドセットを識別する信号を受取る物理的リンクによってハンドセットとを接続するシステム内で実現できる。しかしながら好ましい構成では、基地局はハンドセットとのワイヤレス通信用に構成されたコードレス電話システムの一部分であり、ハンドセットによって送信される確認コードを識別し、対応するディジットのシーケンスを生成し、ネットワークへ送る手段をもっている。
【０００６】
幾つかの既存のコードレス電話システムは確認コードを使用して、ハンドセットが正しい基地局と一緒に動作することを保証する。しかしながら、これらのコードは唯一のものである必要があるので、非常に長い。本発明では、交換ラインと関係付けられた少数のハンドセットの何れが使用中であるかをネットワークに対して識別することのみが必要であるので、基地局はネットワーク請求書発行システムまたはその他のシステムに、たった１つか２つのディジットから成る非常に短いコードを送ることができる。したがって送信すべき信号が減る。さらに、コードレスハンドセットの確認コードから別のコードへ変換できるので、ハンドセットまたはネットワークを変更せずに、遠隔通信システムに必要なフォーマットにしたがって、“口座コード”を生成することができる。
【０００７】
ここで本発明の実施形態を添付の図面を引用して記載する。
【０００８】
２つの実施形態を結合して、両タイプのハンドセットを基地局で使用することができる。
【０００９】
図１を参照すると、コードレス装置３ａ、３ｂと通信するアンテナ２は関係付けられたレジスタ34をもつハンドセット識別装置31およびダイヤルディジットコンバータ33への入力を設置している。ハンドセット識別装置31は、ＤＴＭＦディジット生成装置32への出力を設定している。ＤＴＭＦディジット生成装置32およびダイヤルディジットコンバータ33の両方は、ＤＴＭＦディジットを交換ライン６へ送る。電話装置は全体的に制御装置30の制御を受ける。
【００１０】
既存のコードレス電話システム、例えばＤＥＣＴシステムにおいて動作するコードレス電話システムにおいて、個々のハンドセット、例えば３ａ、３ｂは各基地局との間で相互にページング信号および応答信号を送ることによって識別され、ハンドセットが正しい基地局のそばに位置する別の基地局ではなく、正しい基地局と動作することを保証する。幾つかのハンドセットをもつシステムにおいて、各ハンドセットはそれ自身の識別コードをもつので、基地局は個々のハンドセットを識別できる。したがって１つのハンドセットのユーザは基地局を介して別のハンドセットのユーザと接触することができる。本発明では、基地局によるハンドセットの確認コードをハンドセットの識別を示す口座コード信号と一緒に使用できる。図３では装置31、32、33が行なう種々の段階を示している。段階61乃至64はハンドセット識別装置31で、段階65および66はディジット発生器32で、段階67、68、69はダイヤルディジットコンバータで行なう。
【００１１】
ハンドセットが“オフフック”状態（コードレスハンドセットはハンドセット上のスイッチを操作することによって実際に起動する状態）になると、ハンドセットがこの状態を識別し、アンテナ２へ無線インターフェイスにより送信し、これはハンドセット識別装置31によって検出されることができる（段階61）。
【００１２】
ハンドセット識別装置31は最初に、確認コード（ＩＤ）がレジスタ34に記憶したものの１つであるかを検査する（段階62）。ノーのときは、このハンドセットが別の基地局に属することを示す。これは、例えばコードレス電話装置の多数の家庭内のユーザが各他のハンドセットの無線領域内に基地局をもつときに、発生することがある。イエスのときは、ハンドセット識別装置31は、ハンドセットからの“オフフック”の指標を無視し（段階63）、停止する。ハンドセットが確認されると、ハンドセット識別装置31が、それを示す確認コード（ＩＤ）に対応する口座コードを選択する。この口座コードはレジスタ34に、レジスタに記憶した各確認コード（ＩＤ）に対応する１つの口座コードと共に記憶される。
【００１３】
次に選択した口座コードをＤＴＭＦディジット発生器32へ送って、ＤＴＭＦディジット発生器32が受取った口座コード番号に対応するＤＴＭＦ音を発生する（段階65）。次にこれらのＤＴＭＦ音を交換接続上をＰＳＴＮ７へ送る（段階66）。制御装置30によって制御されるダイヤルディジットコンバータ33はハンドセット３ａでダイヤルしたディジットを検出し、このディジットは通常のコードレス電話方式によってエアインターフェイスを介してアンテナ２へ送られる。ハンドセット識別装置31が基地局の識別子をレジスタ34に記憶したものの１つとして認識しないとき、制御装置30はダイヤルしたディジットコンバータ33の動作を妨げる。ダイヤルしたディジットコンバータ33の動作が妨げられないとき、ディジットを検出して（段階67）、ＤＴＭＦ音に変換し（段階68）、交換接続６からＰＳＴＮ７へ送る（段階69）。ＤＴＭＦ発生器32によるディジットの伝送が完了するまで、ダイヤルしたディジットコンバータ33の動作は停止する。これにはエアインターフェイスをハンドセット３ａから送られるディジットをコンバータ33内のバッファに送信が要求されるまで記憶することが必要となる。
【００１４】
図示されていない別の構成では、ダイヤルしたディジットの後に口座コードを送る。この場合段階67、68、69を、図３に示した段階62乃至64の間で行なう。それにも関わらず、ハンドセット確認コードが段階62で確認されるまで、ダイヤルしたディジットはダイヤル信号コンバータ33によって送られない。
【００１５】
上述の動作の多くは従来のコードレス基地局で既に行われていることが分かる。レジスタ34を参照することによって確認されるときに確認コードにしたがって口座コードを生成する手段64、65、および66にみを付加する。ハンドセットとネットワークの両方は変更されないので、何れのインターフェイスも変更せずにハンドセットと基地局とを相互作用させることができる。１ユーザのハンドセットそれ自身を他の者が使用できないという条件（例えば、ハンドセットは使用するのにコード番号が必要であるか、または他のユーザが使用できない安全な場所に置かれているという条件）で、ハンドセットユーザが行なった呼が該ユーザ自身に割当てられた口座コードに属することが保証される。
【００１６】
コードレスシステム用の確認コードの主な目的は、それ自身の基地局以外の基地局への疎漏な接続を避けることであるので、この確認コードは必然的に複雑となる。対照的に、口座コードは同一交換ラインのユーザを区別できれば十分であり、１または２回以上のキーストロークを必要とすることは少ない。したがって基地局ではコードレス電話エアインターフェイスを送られる長い確認コードを、ＤＴＭＦ音によって表現される短いディジットシーケンスの短い口座コードへ変換するようにされている。
【００１７】
図２では、各電話ハンドセット53ａ、53ｂが配線接続50ａ、50ｂを介してベース装置54へ接続されている。接続50ａ、50ｂをロックして、これらの接続の承認されていない相互交換（とりかえ動作）を防ぐことができる。各接続は関係付けられたＤＴＭＦディジット発生器52ａ、52ｂをもち、例えば“オフフック”状態の認識によって各ハンドセットから呼を開始するとき、所定の“口座コード”のディジットのシーケンスを発生する。この構成では、各ハンドセット53ａ、53ｂはそれ自身の関係する口座コード発生器52ａ、52ｂをもつ。口座コード発生器52ａ、52ｂは、該ハンドセット専用のソケット50ａ、50ｂに恒久的に接続されている。したがって各発生器52ａ、52ｂはＤＴＭＦディジットの単一の記憶したシーケンスを記憶することだけが必要である。このシーケンスは、所定の状態に応答して交換ライン６をＰＳＴＮ７へ送られる。例えばネットワークがダイヤルした電話番号の前に口座コードを要求するときは、交換ライン６でダイヤル音を認識してシーケンスを送る。ネットワークが口座コードの前にダイヤルした電話番号を要求するときは、信号を受取った後に信号を交換ライン６からか、または受取った電話番号をダイヤルし終わった各ハンドセット53ａ、53ｂからコードを送る。ダイヤルしたディジットのシーケンスが有効な電話番号であると認識されると、交換ライン６が口座コードを要求する合図を送るようにすることができる。その代りに、ハンドセットユーザが自身でダイヤルしたディジットのシーケンスの最後を識別する特別な“送信”キーを起動して、自動的に口座コードを送るようにユーザに要求してもよい。
【００１８】
本明細書に記載した２つの実施形態の特徴を結合することによって、基地局と、１または複数のコードレスハンドセットと、さらに１または複数の固定ハンドセットとを接続するように構成することもできる。
【図面の簡単な説明】
【図１】図１は、ハンドセット確認コードを生成するコードレス基地局を示す。
【図２】図２は、配線したハンドセットのハンドセット確認コードを生成する装置を示す。
【図３】図３は、図１の実施形態の動作を示すフローチャートである。
【図１】
0004248604.tif 000002
【図２】
0004248604.tif 000003
【図３】
0004248604.tif 000004